(57)【要約】  本発明は、溶液工程用溶液製造のための溶媒選択方法およびこれを用いたシステムに関するものであって、より詳細には、溶液に製造して工程に使用する場合には性能の差が明確であるが、従来の方法であるハンセン溶解度因子（Ｈａｎｓｅｎ  Ｓｏｌｕｂｉｌｉｔｙ  Ｐａｒａｍｅｔｅｒ：以下、ＨＳＰ）を用いた特性評価では区別が難しい２つ以上の溶媒を明確に区別できる新たな方法を用いる溶液工程用溶液製造のための溶媒選択方法およびこれを用いたシステムに関するものである。
2016536688.tif 000002
【特許請求の範囲】
【請求項１】
溶液工程用溶液製造のための溶媒選択方法であって、
１）Ａ集団に属するＮ１個の溶媒ＡＩと、Ｂ集団に属するＮ２個の溶媒ＢＪに対するハンセン溶解度因子の差であるＤＥＶ−ＨＳＰ（ＡＩ，ＢＪ）を、下記の式１を用いてそれぞれ計算するステップと、
２）前記１）ステップでＮ１×Ｎ２の個数だけ計算されたハンセン溶解度因子の差（ＤＥＶ−ＨＳＰ（ＡＩ，ＢＪ））が０〜εの範囲（εは０より大きい実数）に属する場合を求めるステップと、
３）前記２）ステップの範囲に属する個数が０の場合、溶媒に対する特性を評価する過程を終了し、それ以外の場合、ハンセン溶解度因子の差（ＤＥＶ−ＨＳＰ（ＡＩ，ＢＪ））が前記範囲に属する場合のＡＩとＢＪを、それぞれ再びＡ’集団とＢ’集団に指定するステップと、
４）前記３）ステップで指定されたＡ’集団とＢ’集団に属する溶媒Ｍに対して、ＲＥＰ−ＨＳＰ（Ｍ）を、下記の式２を用いてそれぞれ計算するステップと、
５）Ａ’集団とＢ’集団に属する溶媒Ｍに対するＧｒｏｕｐ−Ｓｃｏｒｅ（Ｍ）を、下記の式３を用いてそれぞれ計算するステップと、
６）前記５）ステップで計算されたＧｒｏｕｐ−Ｓｃｏｒｅ（Ｍ）値からなる群より、それぞれの集団の最大値と最小値を求めるステップと、
７）下記の式４を用いてＡ’集団とＢ’集団の特性差を評価するために、δ（Ａ’，Ｂ’）＞Ｅまたはδ（Ｂ’，Ａ’）＞Ｅの場合、Ｇｒｏｕｐ−Ｓｃｏｒｅ（Ｍ）値を用いてＡ’とＢ’集団を区分するステップとを含むことを特徴とする、溶液工程用溶液製造のための溶媒選択方法。
【数１】
2016536688.tif 000025
前記式１において、ＡＩとＢＪはそれぞれＡとＢ集団に属する溶媒を示し、溶媒ＡＩに対するハンセン溶解度因子はＨＳＰ＝（Ｄ（ＡＩ），Ｐ（ＡＩ），Ｈ（ＡＩ））であり、前記Ｄ（ＡＩ）は無極性分散結合によって発生する溶解度因子、Ｐ（ＡＩ）は永久双極子による極性結合によって発生する溶解度因子、Ｈ（ＡＩ）は水素結合によって発生する溶解度因子であり、ａ１、ａ２、ａ３は０より大きい実数で、ｂは０より大きい実数で、ｃは０より大きい実数である。
【数２】
2016536688.tif 000026
前記式２において、任意の溶媒Ｍに対するハンセン溶解度因子はＨＳＰ＝（Ｄ（Ｍ），Ｐ（Ｍ），Ｈ（Ｍ））であり、前記Ｄ（Ｍ）は無極性分散結合によって発生する溶解度因子、Ｐ（Ｍ）は永久双極子による極性結合によって発生する溶解度因子、Ｈ（Ｍ）は水素結合によって発生する溶解度因子であり、ｘ１、ｘ２、ｘ３は０より大きい実数で、ｙは０より大きい実数で、ｚは０より大きい実数である。
【数３】
2016536688.tif 000027
前記式３において、Ｆｕｎｃｔ１（ｘ）＝γ×｛ｌｏｇβ（ｘ）｝αであり、αは０．５より大きい実数で、βは０より大きい実数で、γは０より大きい実数であり、Ｆｕｎｃｔ２（ｘ）＝ｄｘまたはｄ−ｘであり、ｄは０．０１より大きい実数であり、ＰＣ（Ｍ）は溶媒Ｍに対して実験方法を通じて測定したり、または計算方法を用いて求めたオクタノール−水分配係数（Ｏｃｔａｎｏｌ−Ｗａｔｅｒ  Ｐａｒｔｉｔｉｏｎ  Ｃｏｅｆｆｉｃｉｅｎｔ）、または計算方法で求めた位相極性表面積（ｔｏｐｏｌｏｇｉｃａｌ  ｐｏｌａｒ  ｓｕｒｆａｃｅ  ａｒｅａ）値である。
【数４】
2016536688.tif 000028
前記式４において、ＭＡＸ（Ａ’）とＭＩＮ（Ａ’）はＡ’集団に属する溶媒に対して計算されたＧｒｏｕｐ−Ｓｃｏｒｅのうちの最大値と最小値を示し、ＭＡＸ（Ｂ’）とＭＩＮ（Ｂ’）はＢ’集団に属する溶媒に対して計算されたＧｒｏｕｐ−Ｓｃｏｒｅのうちの最大値と最小値を示す。
【請求項２】
前記式１において、ａ１は０．５〜４．５の実数、ａ２は０．５〜３の実数、ａ３は０．５〜２．５の実数で、ｂは１．０〜２．５の実数で、ｃは０．１〜１．０の実数であることを特徴とする、請求項１に記載の溶液工程用溶液製造のための溶媒選択方法。
【請求項３】
前記εは０．１〜４．０の実数であることを特徴とする、請求項１に記載の溶液工程用溶液製造のための溶媒選択方法。
【請求項４】
前記式２において、ｘ１は０．５〜４．５の実数、ｘ２は０．２〜２の実数、ｘ３は０．２〜２．５の実数で、ｙは０．５〜２．５の実数で、ｚは０．１〜０．８の実数であることを特徴とする、請求項１に記載の溶液工程用溶液製造のための溶媒選択方法。
【請求項５】
前記式３において、αは０．５〜２．５の実数で、βは１０で、γは０〜１０５の実数であることを特徴とする、請求項１に記載の溶液工程用溶液製造のための溶媒選択方法。
【請求項６】
前記式４において、Ｅ＝εであることを特徴とする、請求項１に記載の溶液工程用溶液製造のための溶媒選択方法。
【請求項７】
Ａ集団に属するＮ１個の溶媒ＡＩと、Ｂ集団に属するＮ２個の溶媒ＢＪに対するハンセン溶解度因子の差であるＤＥＶ−ＨＳＰ（ＡＩ，ＢＪ）を、下記の式１を用いてそれぞれ計算したデータが入力される第１データ入力モジュールと、
前記第１データ入力モジュールでＮ１×Ｎ２の個数だけ計算されたハンセン溶解度因子の差（ＤＥＶ−ＨＳＰ（ＡＩ，ＢＪ））が０〜εの範囲（εは０より大きい実数）に属する場合を求めたデータが入力される第２データ入力モジュールと、
前記第２データ入力モジュールの範囲に属する個数が０の場合、溶媒に対する特性を評価する過程を終了し、それ以外の場合、ハンセン溶解度因子の差（ＤＥＶ−ＨＳＰ（ＡＩ，ＢＪ））が前記範囲に属する場合のＡＩとＢＪを、それぞれ再びＡ’集団とＢ’集団に指定したデータが入力される第３データ入力モジュールと、
前記第３データ入力モジュールで指定されたＡ’集団とＢ’集団に属する溶媒Ｍに対して、ＲＥＰ−ＨＳＰ（Ｍ）を、下記の式２を用いてそれぞれ計算したデータが入力される第４データ入力モジュールと、
Ａ’集団とＢ’集団に属する溶媒Ｍに対するＧｒｏｕｐ−Ｓｃｏｒｅ（Ｍ）を、下記の式３を用いてそれぞれ計算したデータが入力される第５データ入力モジュールと、
前記第５データ入力モジュールで計算されたＧｒｏｕｐ−Ｓｃｏｒｅ（Ｍ）値からなる群より、それぞれの集団の最大値と最小値を求めたデータが入力される第６データ入力モジュールと、
下記の式４を用いてＡ’集団とＢ’集団の特性差を評価するために、δ（Ａ’，Ｂ’）＞Ｅまたはδ（Ｂ’，Ａ’）＞Ｅの場合、Ｇｒｏｕｐ−Ｓｃｏｒｅ（Ｍ）値を用いてＡ’とＢ’集団を区分したデータが入力される評価モジュールとを含むことを特徴とする、溶液工程用溶液製造のための溶媒選択システム。
【数５】
2016536688.tif 000029
前記式１において、ＡＩとＢＪはそれぞれＡとＢ集団に属する溶媒を示し、溶媒ＡＩに対するハンセン溶解度因子はＨＳＰ＝（Ｄ（ＡＩ），Ｐ（ＡＩ），Ｈ（ＡＩ））であり、前記Ｄ（ＡＩ）は無極性分散結合によって発生する溶解度因子、Ｐ（ＡＩ）は永久双極子による極性結合によって発生する溶解度因子、Ｈ（ＡＩ）は水素結合によって発生する溶解度因子であり、ａ１、ａ２、ａ３は０より大きい実数で、ｂは０より大きい実数で、ｃは０より大きい実数である。
【数６】
2016536688.tif 000030
前記式２において、任意の溶媒Ｍに対するハンセン溶解度因子はＨＳＰ＝（Ｄ（Ｍ），Ｐ（Ｍ），Ｈ（Ｍ））であり、前記Ｄ（Ｍ）は無極性分散結合によって発生する溶解度因子、Ｐ（Ｍ）は永久双極子による極性結合によって発生する溶解度因子、Ｈ（Ｍ）は水素結合によって発生する溶解度因子であり、ｘ１、ｘ２、ｘ３は０より大きい実数で、ｙは０より大きい実数で、ｚは０より大きい実数である。
【数７】
2016536688.tif 000031
前記式３において、Ｆｕｎｃｔ１（ｘ）＝γ×｛ｌｏｇβ（ｘ）｝αであり、αは０．５より大きい実数で、βは０より大きい実数で、γは０より大きい実数で、Ｆｕｎｃｔ２（ｘ）＝ｄｘまたはｄ−ｘであり、ｄは０．０１より大きい実数であり、ＰＣ（Ｍ）は溶媒Ｍに対して実験方法を通じて測定したり、または計算方法を用いて求めたオクタノール−水分配係数（Ｏｃｔａｎｏｌ−Ｗａｔｅｒ  Ｐａｒｔｉｔｉｏｎ  Ｃｏｅｆｆｉｃｉｅｎｔ）、または計算方法で求めた位相極性表面積（ｔｏｐｏｌｏｇｉｃａｌ  ｐｏｌａｒ  ｓｕｒｆａｃｅ  ａｒｅａ）値である。
【数８】
2016536688.tif 000032
前記式４において、ＭＡＸ（Ａ’）とＭＩＮ（Ａ’）はＡ’集団に属する溶媒に対して計算されたＧｒｏｕｐ−Ｓｃｏｒｅのうちの最大値と最小値を示し、ＭＡＸ（Ｂ’）とＭＩＮ（Ｂ’）はＢ’集団に属する溶媒に対して計算されたＧｒｏｕｐ−Ｓｃｏｒｅのうちの最大値と最小値を示す。
【請求項８】
前記式１において、ａ１は０．５〜４．５の実数、ａ２は０．５〜３の実数、ａ３は０．５〜２．５の実数で、ｂは１．０〜２．５の実数で、ｃは０．１〜１．０の実数であることを特徴とする、請求項７に記載の溶液工程用溶液製造のための溶媒選択システム。
【請求項９】
前記εは０．１〜４．０の実数であることを特徴とする、請求項７に記載の溶液工程用溶液製造のための溶媒選択システム。
【請求項１０】
前記式２において、ｘ１は０．５〜４．５の実数、ｘ２は０．２〜２の実数、ｘ３は０．２〜２．５の実数で、ｙは０．５〜２．５の実数で、ｚは０．１〜０．８の実数であることを特徴とする、請求項７に記載の溶液工程用溶液製造のための溶媒選択システム。
【請求項１１】
前記式３において、αは０．５〜２．５の実数で、βは１０で、γは０〜１０５の実数であることを特徴とする、請求項７に記載の溶液工程用溶液製造のための溶媒選択システム。
【請求項１２】
前記式４において、Ｅ＝εであることを特徴とする、請求項７に記載の溶液工程用溶液製造のための溶媒選択システム。
【発明の詳細な説明】
【技術分野】
【０００１】
本発明は、溶液工程用溶液製造のための溶媒選択方法およびこれを用いたシステムに関するものであって、より詳細には、溶液に製造して工程に使用する場合には性能差が明確であるが、従来の方法であるハンセン溶解度因子（Ｈａｎｓｅｎ  Ｓｏｌｕｂｉｌｉｔｙ  Ｐａｒａｍｅｔｅｒ：以下、ＨＳＰ）を用いた特性評価では区別が難しい２つ以上の溶媒を明確に区別できる新たな方法を用いる溶液工程用溶液製造のための溶媒選択方法およびこれを用いたシステムに関するものである。
【背景技術】
【０００２】
溶液工程を用いた物質の製造方法は、蒸着などのような他の方法に比べて、比較的過程が単純で、物性調節が容易である上に、製造費用も非常に低くて最も多く使用される方法であり、この場合、溶液工程の性能を左右する最も重要な要素の一つは、工程に用いる溶液を製造するために使用される溶媒である。例えば、溶液工程のコーティング工程では、溶媒にコーティングしようとする物質（大部分が高分子形態のレジン）を溶かしたコーティング溶液を使用するが、溶媒の特性に応じてコーティング性能が大きく左右される。溶液工程の性能を向上させられる溶液を製造するための最適な溶媒を選択するためには、使用しようとする溶媒の特性を正確に評価することが必須の過程といえる。
【０００３】
物質間の溶解性（ｓｏｌｕｂｉｌｉｔｙ）や混合性（ｍｉｓｃｉｂｉｌｉｔｙ）を判断するためには、物質の固有物性を利用して互いに類似性の比較を行わなければならない。溶解性や混合性に影響を与える固有物性は種々あるが、なかでも物質内の結合（ｉｎｔｅｒａｃｔｉｏｎ）の程度を定量的な値で示す溶解度因子（Ｓｏｌｕｂｉｌｉｔｙ  Ｐａｒａｍｅｔｅｒｓ）が最も多く使用される。すなわち、各物質は固有の溶解度因子値を有し、溶解度因子値が類似する物質同士は互いによく溶解したり混合される。
【０００４】
多様な理論や概念に基づいて溶解度因子が提案されて使用されているが、なかでも１９６７年にＤｒ．Ｃ．Ｈａｎｓｅｎが提案したハンセン溶解度因子（Ｈａｎｓｅｎ  Ｓｏｌｕｂｉｌｉｔｙ  Ｐａｒａｍｅｔｅｒ：以下、ＨＳＰ）が最も正確に溶解度特性を示すことができると知られている。ＨＳＰでは、物質内の結合の程度を、次のような３つの因子に細分化して考慮する。
【０００５】
（１）無極性分散結合によって発生する溶解度因子（δＤ）
（２）永久双極子による極性結合によって発生する溶解度因子（δＰ）
（３）水素結合によって発生する溶解度因子（δＨ）
【０００６】
このように、ＨＳＰは、他の溶解度因子よりも詳細に物質内の結合情報を提供するため、より正確で体系的に物質の溶解性や混合性を評価することができて広く使用される。
【０００７】
ＨＳＰ＝（δＤ，δＰ，δＨ），（Ｊ／ｃｍ３）１／２                        （１）
δＴｏｔ＝（δＤ２＋δＰ２＋δＨ２）１／２，（Ｊ／ｃｍ３）１／２                （２）
【０００８】
ＨＳＰは３つの要素からなる空間で大きさと方向性を有するベクトル（Ｖｅｃｔｏｒ）であり、δＴｏｔはＨＳＰベクトルの大きさ（ｍａｇｎｉｔｕｄｅ）を示す。ＨＳＰを示す基本単位は（Ｊ／ｃｍ３）１／２である。このようなＨＳＰ値は、ＨＳＰを提案したＤｒ．Ｈａｎｓｅｎグループで開発したＨＳＰｉＰ（Ｈａｎｓｅｎ  Ｓｏｌｕｂｉｌｉｔｙ  Ｐａｒａｍｅｔｅｒｓ  ｉｎ  Ｐｒａｃｔｉｃｅ）というプログラムを用いて計算する。
【０００９】
先に言及したように、２つの物質のＨＳＰ値が類似していれば互いによく溶解するが、ＨＳＰはベクトルであるので、互いに類似していると判断するためには、各物質の３つのＨＳＰの成分とＨＳＰの大きさがすべて類似していなければならない。すべての物質は、固有のＨＳＰを有し、２つの物質のＨＳＰが互いに類似していればよく溶解する。このように、ＨＳＰは、他の溶解度因子と同様に、「Ａ  ｌｉｋｅ  ｌｉｋｅｓ  ａ  ｌｉｋｅ」という概念に基づいて提案されて使用されている。
【００１０】
一方、溶媒の特性を最も正確に評価すると知られている方法である前記ハンセン溶解度因子で特性を評価した場合に、ほぼ類似の特性を示す２種以上の溶媒に同一の物質を溶解させて溶液を製造して工程に適用させた場合、工程性能が大きく異なる場合が発生することがある。例えば、溶媒ＡとＢは、ほぼ同一のハンセン溶解度因子を有するが、同一の物質Ｃを溶解させて溶液に作って工程に適用すると、Ａを用いた場合が、Ｂの場合より、性能により優れていることがある。
【００１１】
溶液工程の性能を向上させるためには、先の例のように、工程性能を向上させる溶媒のＡと、そうでない溶媒Ｂの特性差を評価して、Ａのような特性を有する最適な溶媒を使用する過程が必要である。しかし、従来の方法を用いた場合には、ＡとＢの特性がほぼ類似しているため、溶媒ＡとＢの特性を明確に区分するのに困難がある。このような必要性によって、本発明者は、ハンセン溶解度因子の差を利用して溶液工程用溶液製造のための溶媒を選択する方法に適用する上で限界があり、２つ以上の溶媒の特性を明確に区別できる新たな方法である溶液工程用溶液製造のための溶媒選択方法を開発した。
【発明の概要】
【発明が解決しようとする課題】
【００１２】
本発明は、上記の従来技術の問題を解決するためのものであって、
２つ以上の集団で構成された溶媒群に対する特性を評価し、ハンセン溶解度因子の差を利用して溶媒群を再指定した後、新たに指定された群に対する溶媒の特性差を利用して溶媒を区分することで、溶液工程用溶液製造のための溶媒選択の新たな方法を提供することを目的とする。
【課題を解決するための手段】
【００１３】
上記の目的を達成するために、本発明は、
溶液工程用溶液製造のための溶媒選択方法であって、
１）Ａ集団に属するＮ１個の溶媒ＡＩと、Ｂ集団に属するＮ２個の溶媒ＢＪに対するハンセン溶解度因子の差であるＤＥＶ−ＨＳＰ（ＡＩ，ＢＪ）を、下記の式１を用いてそれぞれ計算するステップと、
２）前記１）ステップでＮ１×Ｎ２の個数だけ計算されたハンセン溶解度因子の差（ＤＥＶ−ＨＳＰ（ＡＩ，ＢＪ））が０〜εの範囲（εは０より大きい実数）に属する場合を求めるステップと、
３）前記２）ステップの範囲に属する個数が０の場合、溶媒に対する特性を評価する過程を終了し、それ以外の場合、ハンセン溶解度因子の差（ＤＥＶ−ＨＳＰ（ＡＩ，ＢＪ））が前記範囲に属する場合のＡＩとＢＪを、それぞれ再びＡ’集団とＢ’集団に指定するステップと、
４）前記３）ステップで指定されたＡ’集団とＢ’集団に属する溶媒Ｍに対して、ＲＥＰ−ＨＳＰ（Ｍ）を、下記の式２を用いてそれぞれ計算するステップと、
５）Ａ’集団とＢ’集団に属する溶媒Ｍに対するＧｒｏｕｐ−Ｓｃｏｒｅ（Ｍ）を、下記の式３を用いてそれぞれ計算するステップと、
６）前記５）ステップで計算されたＧｒｏｕｐ−Ｓｃｏｒｅ（Ｍ）値からなる群より、それぞれの集団の最大値と最小値を求めるステップと、
７）下記の式４を用いてＡ’集団とＢ’集団の特性差を評価するために、δ（Ａ’，Ｂ’）＞Ｅまたはδ（Ｂ’，Ａ’）＞Ｅの場合、Ｇｒｏｕｐ−Ｓｃｏｒｅ（Ｍ）値を用いてＡ’とＢ’集団を区分するステップとを含むことを特徴とする、溶液工程用溶液製造のための溶媒選択方法を提供する。
【００１４】
【数１】
2016536688.tif 000003
【００１５】
前記式１において、ＡＩとＢＪはそれぞれＡとＢ集団に属する溶媒を示し、溶媒ＡＩに対するハンセン溶解度因子はＨＳＰ＝（Ｄ（ＡＩ），Ｐ（ＡＩ），Ｈ（ＡＩ））であり、前記Ｄ（ＡＩ）は無極性分散結合によって発生する溶解度因子、Ｐ（ＡＩ）は永久双極子による極性結合によって発生する溶解度因子、Ｈ（ＡＩ）は水素結合によって発生する溶解度因子であり、ａ１、ａ２、ａ３は０より大きい実数で、ｂは０より大きい実数で、ｃは０より大きい実数である。
【００１６】
【数２】
2016536688.tif 000004
【００１７】
前記式２において、任意の溶媒Ｍに対するハンセン溶解度因子はＨＳＰ＝（Ｄ（Ｍ），Ｐ（Ｍ），Ｈ（Ｍ））であり、前記Ｄ（Ｍ）は無極性分散結合によって発生する溶解度因子、Ｐ（Ｍ）は永久双極子による極性結合によって発生する溶解度因子、Ｈ（Ｍ）は水素結合によって発生する溶解度因子であり、ｘ１、ｘ２、ｘ３は０より大きい実数で、ｙは０より大きい実数で、ｚは０より大きい実数である。
【００１８】
【数３】
2016536688.tif 000005
【００１９】
前記式３において、Ｆｕｎｃｔ１（ｘ）＝γ×｛ｌｏｇβ（ｘ）｝αであり、αは０．５より大きい実数で、βは０より大きい実数で、γは０より大きい実数であり、Ｆｕｎｃｔ２（ｘ）＝ｄｘまたはｄ−ｘであり、ｄは０．０１より大きい実数であり、ＰＣ（Ｍ）は溶媒Ｍに対して実験方法を通じて測定したり、または計算方法を用いて求めたオクタノール−水分配係数（Ｏｃｔａｎｏｌ−Ｗａｔｅｒ  Ｐａｒｔｉｔｉｏｎ  Ｃｏｅｆｆｉｃｉｅｎｔ）、または計算方法で求めた位相極性表面積（ｔｏｐｏｌｏｇｉｃａｌ  ｐｏｌａｒ  ｓｕｒｆａｃｅ  ａｒｅａ）値である。
【００２０】
【数４】
2016536688.tif 000006
【００２１】
前記式４において、ＭＡＸ（Ａ’）とＭＩＮ（Ａ’）はＡ’集団に属する溶媒に対して計算されたＧｒｏｕｐ−Ｓｃｏｒｅのうちの最大値と最小値を示し、ＭＡＸ（Ｂ’）とＭＩＮ（Ｂ’）はＢ’集団に属する溶媒に対して計算されたＧｒｏｕｐ−Ｓｃｏｒｅのうちの最大値と最小値を示す。
【００２２】
また、本発明は、
Ａ集団に属するＮ１個の溶媒ＡＩと、Ｂ集団に属するＮ２個の溶媒ＢＪに対するハンセン溶解度因子の差であるＤＥＶ−ＨＳＰ（ＡＩ，ＢＪ）を、下記の式１を用いてそれぞれ計算したデータが入力される第１データ入力モジュールと、
前記第１データ入力モジュールでＮ１×Ｎ２の個数だけ計算されたハンセン溶解度因子の差（ＤＥＶ−ＨＳＰ（ＡＩ，ＢＪ））が０〜εの範囲（εは０より大きい実数）に属する場合を求めたデータが入力される第２データ入力モジュールと、
前記第２データ入力モジュールの範囲に属する個数が０の場合、溶媒に対する特性を評価する過程を終了し、それ以外の場合、ハンセン溶解度因子の差（ＤＥＶ−ＨＳＰ（ＡＩ，ＢＪ））が前記範囲に属する場合のＡＩとＢＪを、それぞれ再びＡ’集団とＢ’集団に指定したデータが入力される第３データ入力モジュールと、
前記第３データ入力モジュールで指定されたＡ’集団とＢ’集団に属する溶媒Ｍに対して、ＲＥＰ−ＨＳＰ（Ｍ）を、下記の式２を用いてそれぞれ計算したデータが入力される第４データ入力モジュールと、
Ａ’集団とＢ’集団に属する溶媒Ｍに対するＧｒｏｕｐ−Ｓｃｏｒｅ（Ｍ）を、下記の式３を用いてそれぞれ計算したデータが入力される第５データ入力モジュールと、
前記第５データ入力モジュールで計算されたＧｒｏｕｐ−Ｓｃｏｒｅ（Ｍ）値からなる群より、それぞれの集団の最大値と最小値を求めたデータが入力される第６データ入力モジュールと、
下記の式４を用いてＡ’集団とＢ’集団の特性差を評価するために、δ（Ａ’，Ｂ’）＞Ｅまたはδ（Ｂ’，Ａ’）＞Ｅの場合、Ｇｒｏｕｐ−Ｓｃｏｒｅ（Ｍ）値を用いてＡ’とＢ’集団を区分したデータが入力される評価モジュールとを含むことを特徴とする、溶液工程用溶液製造のための溶媒選択システムを提供する。
【００２３】
【数５】
2016536688.tif 000007
【００２４】
前記式１において、ＡＩとＢＪはそれぞれＡとＢ集団に属する溶媒を示し、溶媒ＡＩに対するハンセン溶解度因子はＨＳＰ＝（Ｄ（ＡＩ），Ｐ（ＡＩ），Ｈ（ＡＩ））であり、前記Ｄ（ＡＩ）は無極性分散結合によって発生する溶解度因子、Ｐ（ＡＩ）は永久双極子による極性結合によって発生する溶解度因子、Ｈ（ＡＩ）は水素結合によって発生する溶解度因子であり、ａ１、ａ２、ａ３は０より大きい実数で、ｂは０より大きい実数で、ｃは０より大きい実数である。
【００２５】
【数６】
2016536688.tif 000008
【００２６】
前記式２において、任意の溶媒Ｍに対するハンセン溶解度因子はＨＳＰ＝（Ｄ（Ｍ），Ｐ（Ｍ），Ｈ（Ｍ））であり、前記Ｄ（Ｍ）は無極性分散結合によって発生する溶解度因子、Ｐ（Ｍ）は永久双極子による極性結合によって発生する溶解度因子、Ｈ（Ｍ）は水素結合によって発生する溶解度因子であり、ｘ１、ｘ２、ｘ３は０より大きい実数で、ｙは０より大きい実数で、ｚは０より大きい実数である。
【００２７】
【数７】
2016536688.tif 000009
【００２８】
前記式３において、Ｆｕｎｃｔ１（ｘ）＝γ×｛ｌｏｇβ（ｘ）｝αであり、αは０．５より大きい実数で、βは０より大きい実数で、γは０より大きい実数であり、Ｆｕｎｃｔ２（ｘ）＝ｄｘまたはｄ−ｘであり、ｄは０．０１より大きい実数であり、ＰＣ（Ｍ）は溶媒Ｍに対して実験方法を通じて測定したり、または計算方法を用いて求めたオクタノール−水分配係数（Ｏｃｔａｎｏｌ−Ｗａｔｅｒ  Ｐａｒｔｉｔｉｏｎ  Ｃｏｅｆｆｉｃｉｅｎｔ）、または計算方法で求めた位相極性表面積（ｔｏｐｏｌｏｇｉｃａｌ  ｐｏｌａｒ  ｓｕｒｆａｃｅ  ａｒｅａ）値である。
【００２９】
【数８】
2016536688.tif 000010
【００３０】
前記式４において、ＭＡＸ（Ａ’）とＭＩＮ（Ａ’）はＡ’集団に属する溶媒に対して計算されたＧｒｏｕｐ−Ｓｃｏｒｅのうちの最大値と最小値を示し、ＭＡＸ（Ｂ’）とＭＩＮ（Ｂ’）はＢ’集団に属する溶媒に対して計算されたＧｒｏｕｐ−Ｓｃｏｒｅのうちの最大値と最小値を示す。
【発明の効果】
【００３１】
本発明にかかる溶液工程用溶液製造のための溶媒選択方法は、溶液に製造して工程に適用した場合に性能差が明確に区別されるが、従来の方法であるハンセン溶解度因子の差を利用した特性評価では区分が難しい２つ以上の溶媒を明確に区分できる新たな方法に関するものであって、本発明は、それぞれの工程の状況に合わせて与えられた２つ以上の溶媒の特性差を明確に区分できるように設計されていて、これを用いて溶液工程用溶液製造のための最適な溶媒を選択することができる利点があり、今後、混合物をより体系的に利用および評価する上でその効用性が大きいと期待することができる。
【図面の簡単な説明】
【００３２】
【図１】本発明の一実施形態にかかる、３つの溶媒でそれぞれ構成されたＡ集団とＢ集団に対して、溶媒に対する特性評価の順次的なステップを示す概要図である。
【図２】本発明の一実施形態にかかる、Ｇｒｏｕｐ−Ｓｃｏｒｅを用いてＡ’とＢ’集団を区分できる場合を垂直線上に概略的に示した。
【発明を実施するための形態】
【００３３】
以下、本発明を詳細に説明する。
【００３４】
本発明にかかる溶液工程用溶液製造のための溶媒選択方法は、
１）Ａ集団に属するＮ１個の溶媒ＡＩと、Ｂ集団に属するＮ２個の溶媒ＢＪに対するハンセン溶解度因子の差であるＤＥＶ−ＨＳＰ（ＡＩ，ＢＪ）を、下記の式１を用いてそれぞれ計算するステップと、
２）前記１）ステップでＮ１×Ｎ２の個数だけ計算されたハンセン溶解度因子の差（ＤＥＶ−ＨＳＰ（ＡＩ，ＢＪ））が０〜εの範囲（εは０より大きい実数）に属する場合を求めるステップと、
３）前記２）ステップの範囲に属する個数が０の場合、溶媒に対する特性を評価する過程を終了し、それ以外の場合、ハンセン溶解度因子の差（ＤＥＶ−ＨＳＰ（ＡＩ，ＢＪ））が前記範囲に属する場合のＡＩとＢＪを、それぞれ再びＡ’集団とＢ’集団に指定するステップと、
４）前記３）ステップで指定されたＡ’集団とＢ’集団に属する溶媒Ｍに対して、ＲＥＰ−ＨＳＰ（Ｍ）を、下記の式２を用いてそれぞれ計算するステップと、
５）Ａ’集団とＢ’集団に属する溶媒Ｍに対するＧｒｏｕｐ−Ｓｃｏｒｅ（Ｍ）を、下記の式３を用いてそれぞれ計算するステップと、
６）前記５）ステップで計算されたＧｒｏｕｐ−Ｓｃｏｒｅ（Ｍ）値からなる群より、それぞれの集団の最大値と最小値を求めるステップと、
７）下記の式４を用いてＡ’集団とＢ’集団の特性差を評価するために、δ（Ａ’，Ｂ’）＞Ｅまたはδ（Ｂ’，Ａ’）＞Ｅの場合、Ｇｒｏｕｐ−Ｓｃｏｒｅ（Ｍ）値を用いてＡ’とＢ’集団を区分するステップとを含む。
【００３５】
本発明の一実施形態では、Ｎ１個の溶媒（Ａ集団：Ａ１，Ａ２，…，ＡＮ１）と、Ｎ２個の溶媒（Ｂ集団：Ｂ１，Ｂ２，…，ＢＮ２）を、同一量の溶質であるＰ１を溶かして溶液を製造した後、同一の工程に適用した結果、Ａ集団の溶媒を用いた場合は好ましい工程性能を示し、Ｂ集団の溶媒を用いた場合には好ましくない工程性能を示すことを仮定した。したがって、工程性能を極大化させるために、Ａ集団とＢ集団に属する溶媒の特性を評価してＡ集団とＢ集団を明確に区分することで、最適な溶媒を選択して溶液を製造する方法を行おうとした。
【００３６】
本発明は、前記１）〜３）ステップにおいて、Ｎ１個の溶媒からなるＡ集団と、Ｎ２個の溶媒からなるＢ集団に含まれる溶媒に対する特性を評価し、ハンセン溶解度因子の差を利用して溶媒をＡ’集団およびＢ’集団に指定するステップを含む。
【００３７】
１）ステップは、Ａ集団に属するＮ１個の溶媒ＡＩと、Ｂ集団に属するＮ２個の溶媒ＢＪに対するハンセン溶解度因子の差であるＤＥＶ−ＨＳＰ（ＡＩ，ＢＪ）を、下記の式１を用いてそれぞれ計算するステップを含む。
【００３８】
【数９】
2016536688.tif 000011
【００３９】
前記式１において、ＡＩとＢＪはそれぞれＡとＢ集団に属する溶媒を示し、溶媒ＡＩに対するハンセン溶解度因子はＨＳＰ＝（Ｄ（ＡＩ），Ｐ（ＡＩ），Ｈ（ＡＩ））であり、前記Ｄ（ＡＩ）は無極性分散結合によって発生する溶解度因子、Ｐ（ＡＩ）は永久双極子による極性結合によって発生する溶解度因子、Ｈ（ＡＩ）は水素結合によって発生する溶解度因子であり、ａ１、ａ２、ａ３は０より大きい実数で、ｂは０より大きい実数で、ｃは０より大きい実数である。前記において、ａ１は０．５〜４．５の実数、ａ２は０．５〜３の実数、ａ３は０．５〜２．５の実数で、ｂは１．０〜２．５の実数で、ｃは０．１〜１．０の実数であることがより好ましい。
【００４０】
より具体的には、１）ステップの過程は、下記のように行う。
【００４１】
【数１０】
2016536688.tif 000012
【００４２】
２）ステップは、前記１）ステップでＮ１×Ｎ２の個数だけ計算されたハンセン溶解度因子の差（ＤＥＶ−ＨＳＰ（ＡＩ，ＢＪ））が０〜εの範囲（εは０より大きい実数）に属する場合を求めるステップであり、εは０．１〜４．０の値を有することが好ましい。
【００４３】
３）ステップは、前記２）ステップの範囲に属する個数が０の場合、溶媒に対する特性を評価する過程を終了し、それ以外の場合、ハンセン溶解度因子の差（ＤＥＶ−ＨＳＰ（ＡＩ，ＢＪ））が前記範囲に属する場合のＡＩとＢＪを、それぞれ再びＡ’集団とＢ’集団に指定するステップである。
【００４４】
より具体的には、前記範囲に属する個数が０の場合には、従来の方法であるハンセン溶解度因子で溶媒の特性を明確に区分できるので、過程を終了する。
【００４５】
図１は、本発明の前記ステップによる、３つの溶媒でそれぞれ構成されたＡ集団とＢ集団に対して、溶媒に対する特性評価の順次的なステップを示した。
【００４６】
本発明は、前記４）〜７）ステップにおいて、前記３）ステップで指定されたＡ’集団およびＢ’集団に対する溶媒の特性差を利用して溶媒を区分するステップを含む。
【００４７】
４）ステップは、前記３）ステップで指定されたＡ’集団とＢ’集団に属する溶媒Ｍに対して、ＲＥＰ−ＨＳＰ（Ｍ）を、下記の式２を用いてそれぞれ計算するステップを含む。
【００４８】
【数１１】
2016536688.tif 000013
【００４９】
前記式２において、任意の溶媒Ｍに対するハンセン溶解度因子はＨＳＰ＝（Ｄ（Ｍ），Ｐ（Ｍ），Ｈ（Ｍ））であり、前記Ｄ（Ｍ）は無極性分散結合によって発生する溶解度因子、Ｐ（Ｍ）は永久双極子による極性結合によって発生する溶解度因子、Ｈ（Ｍ）は水素結合によって発生する溶解度因子であり、ｘ１、ｘ２、ｘ３は０より大きい実数で、ｙは０より大きい実数で、ｚは０より大きい実数である。前記式２において、ｘ１は０．５〜４．５の実数、ｘ２は０．２〜２の実数、ｘ３は０．２〜２．５の実数で、ｙは０．５〜２．５の実数で、ｚは０．１〜０．８の実数であることがより好ましい。
【００５０】
より具体的には、４）ステップの過程は、下記のように行う。
【００５１】
【数１２】
2016536688.tif 000014
【００５２】
５）ステップは、Ａ’集団とＢ’集団に属する溶媒Ｍに対するＧｒｏｕｐ−Ｓｃｏｒｅ（Ｍ）を、下記の式３を用いてそれぞれ計算するステップを含む。
【００５３】
【数１３】
2016536688.tif 000015
【００５４】
前記式３において、Ｆｕｎｃｔ１（ｘ）＝γ×｛ｌｏｇβ（ｘ）｝αであり、αは０．５より大きい実数で、βは０より大きい実数で、γは０より大きい実数であり、Ｆｕｎｃｔ２（ｘ）＝ｄｘまたはｄ−ｘであり、ｄは０．０１より大きい実数であり、ＰＣ（Ｍ）は溶媒Ｍに対して実験方法を通じて測定したり、または計算方法を用いて求めたオクタノール−水分配係数（Ｏｃｔａｎｏｌ−Ｗａｔｅｒ  Ｐａｒｔｉｔｉｏｎ  Ｃｏｅｆｆｉｃｉｅｎｔ）、または計算方法で求めた位相極性表面積（ｔｏｐｏｌｏｇｉｃａｌ  ｐｏｌａｒ  ｓｕｒｆａｃｅ  ａｒｅａ）値である。前記式３において、αは０．５〜２．５の実数で、βは１０で、γは０〜１０５の実数であることがより好ましい。より具体的には、ＰＣ（Ｍ）は溶媒Ｍに対して実験方法を通じて測定したり、または計算方法を用いて求めたオクタノール−水分配係数（Ｏｃｔａｎｏｌ−Ｗａｔｅｒ  Ｐａｒｔｉｔｉｏｎ  Ｃｏｅｆｆｉｃｉｅｎｔ）、または計算方法で求めた位相極性表面積（ｔｏｐｏｌｏｇｉｃａｌ  ｐｏｌａｒ  ｓｕｒｆａｃｅ  ａｒｅａ）値であり、本発明では、Ｍｏｌｅｃｕｌａｒ  Ｎｅｔｗｏｒｋｓ  ＧｍｂＨ  Ｃｏｍｐｕｔｅｒｃｈｅｍｉｅ社製のＡＤＲＩＡＮＡ．Ｃｏｄｅプログラムを用いて計算した。
【００５５】
６）ステップは、前記５）ステップで計算されたＧｒｏｕｐ−Ｓｃｏｒｅ（Ｍ）値からなる群より、それぞれの集団の最大値と最小値を求めるステップであり、Ａ’集団に属する溶媒に対して計算されたＧｒｏｕｐ−Ｓｃｏｒｅのうちの最大値であるＭＡＸ（Ａ’）と最小値であるＭＩＮ（Ａ’）を計算する。それに含まれている溶媒が１つの場合には、ＭＡＸ（Ａ’）＝ＭＩＮ（Ａ’）である。また、Ｂ’集団に属する溶媒に対して計算されたＧｒｏｕｐ−Ｓｃｏｒｅのうちの最大値であるＭＡＸ（Ｂ’）と最小値であるＭＩＮ（Ｂ’）を計算するが、それに含まれている溶媒が１つの場合には、ＭＡＸ（Ｂ’）＝ＭＩＮ（Ｂ’）である。
【００５６】
７）ステップは、下記の式４を用いてＡ’集団とＢ’集団の特性差を評価するために、δ（Ａ’，Ｂ’）＞Ｅまたはδ（Ｂ’，Ａ’）＞Ｅの場合、Ｇｒｏｕｐ−Ｓｃｏｒｅ（Ｍ）値を用いてＡ’とＢ’集団を区分するステップを含む。
【００５７】
【数１４】
2016536688.tif 000016
【００５８】
前記式４において、ＭＡＸ（Ａ’）とＭＩＮ（Ａ’）はＡ’集団に属する溶媒に対して計算されたＧｒｏｕｐ−Ｓｃｏｒｅのうちの最大値と最小値を示し、ＭＡＸ（Ｂ’）とＭＩＮ（Ｂ’）はＢ’集団に属する溶媒に対して計算されたＧｒｏｕｐ−Ｓｃｏｒｅのうちの最大値と最小値を示す。前記式４を用いてＡ’集団とＢ’集団の特性差を評価するために、δ（Ａ’，Ｂ’）＞Ｅまたはδ（Ｂ’，Ａ’）＞Ｅの条件を満足しなければならない。前記式４において、Ｅは０より大きい実数で特別な制限はないが、好ましくはＥ＝εである。それ以外の場合、Ｇｒｏｕｐ−ＳｃｏｒｅによりＡ’とＢ’集団を区分することができない。
【００５９】
図２は、本発明の一実施形態にかかる、Ｇｒｏｕｐ−Ｓｃｏｒｅを用いてＡ’とＢ’集団を区分できる場合を垂直線上に概略的に示した。
【００６０】
また、本発明は、前記で説明した溶液工程用溶液製造のための溶媒選択方法を用いた溶液工程用溶液製造のための溶媒選択システムを提供する。
【００６１】
前記溶液工程用溶液製造のための溶媒選択システムは、
Ａ集団に属するＮ１個の溶媒ＡＩと、Ｂ集団に属するＮ２個の溶媒ＢＪに対するハンセン溶解度因子の差であるＤＥＶ−ＨＳＰ（ＡＩ，ＢＪ）を、下記の式１を用いてそれぞれ計算したデータが入力される第１データ入力モジュールと、
前記第１データ入力モジュールでＮ１×Ｎ２の個数だけ計算されたハンセン溶解度因子の差（ＤＥＶ−ＨＳＰ（ＡＩ，ＢＪ））が０〜εの範囲（εは０より大きい実数）に属する場合を求めたデータが入力される第２データ入力モジュールと、
前記第２データ入力モジュールの範囲に属する個数が０の場合、溶媒に対する特性を評価する過程を終了し、それ以外の場合、ハンセン溶解度因子の差（ＤＥＶ−ＨＳＰ（ＡＩ，ＢＪ））が前記範囲に属する場合のＡＩとＢＪを、それぞれ再びＡ’集団とＢ’集団に指定したデータが入力される第３データ入力モジュールと、
前記第３データ入力モジュールで指定されたＡ’集団とＢ’集団に属する溶媒Ｍに対して、ＲＥＰ−ＨＳＰ（Ｍ）を、下記の式２を用いてそれぞれ計算したデータが入力される第４データ入力モジュールと、
Ａ’集団とＢ’集団に属する溶媒Ｍに対するＧｒｏｕｐ−Ｓｃｏｒｅ（Ｍ）を、下記の式３を用いてそれぞれ計算したデータが入力される第５データ入力モジュールと、
前記第５データ入力モジュールで計算されたＧｒｏｕｐ−Ｓｃｏｒｅ（Ｍ）値からなる群より、それぞれの集団の最大値と最小値を求めたデータが入力される第６データ入力モジュールと、
下記の式４を用いてＡ’集団とＢ’集団の特性差を評価するために、δ（Ａ’，Ｂ’）＞Ｅまたはδ（Ｂ’，Ａ’）＞Ｅの場合、Ｇｒｏｕｐ−Ｓｃｏｒｅ（Ｍ）値を用いてＡ’とＢ’集団を区分したデータが入力される評価モジュールとを含むことを特徴とする。
【００６２】
【数１５】
2016536688.tif 000017
【００６３】
前記式１において、ＡＩとＢＪはそれぞれＡとＢ集団に属する溶媒を示し、溶媒ＡＩに対するハンセン溶解度因子はＨＳＰ＝（Ｄ（ＡＩ），Ｐ（ＡＩ），Ｈ（ＡＩ））であり、前記Ｄ（ＡＩ）は無極性分散結合によって発生する溶解度因子、Ｐ（ＡＩ）は永久双極子による極性結合によって発生する溶解度因子、Ｈ（ＡＩ）は水素結合によって発生する溶解度因子であり、ａ１、ａ２、ａ３は０より大きい実数で、ｂは０より大きい実数で、ｃは０より大きい実数である。
【００６４】
【数１６】
2016536688.tif 000018
【００６５】
前記式２において、任意の溶媒Ｍに対するハンセン溶解度因子はＨＳＰ＝（Ｄ（Ｍ），Ｐ（Ｍ），Ｈ（Ｍ））であり、前記Ｄ（Ｍ）は無極性分散結合によって発生する溶解度因子、Ｐ（Ｍ）は永久双極子による極性結合によって発生する溶解度因子、Ｈ（Ｍ）は水素結合によって発生する溶解度因子であり、ｘ１、ｘ２、ｘ３は０より大きい実数で、ｙは０より大きい実数で、ｚは０より大きい実数である。
【００６６】
【数１７】
2016536688.tif 000019
【００６７】
前記式３において、Ｆｕｎｃｔ１（ｘ）＝γ×｛ｌｏｇβ（ｘ）｝αであり、αは０．５より大きい実数で、βは０より大きい実数で、γは０より大きい実数であり、Ｆｕｎｃｔ２（ｘ）＝ｄｘまたはｄ−ｘであり、ｄは０．０１より大きい実数であり、ＰＣ（Ｍ）は溶媒Ｍに対して実験方法を通じて測定したり、または計算方法を用いて求めたオクタノール−水分配係数（Ｏｃｔａｎｏｌ−Ｗａｔｅｒ  Ｐａｒｔｉｔｉｏｎ  Ｃｏｅｆｆｉｃｉｅｎｔ）、または計算方法で求めた位相極性表面積（ｔｏｐｏｌｏｇｉｃａｌ  ｐｏｌａｒ  ｓｕｒｆａｃｅ  ａｒｅａ）値である。
【００６８】
【数１８】
2016536688.tif 000020
【００６９】
前記式４において、ＭＡＸ（Ａ’）とＭＩＮ（Ａ’）はＡ’集団に属する溶媒に対して計算されたＧｒｏｕｐ−Ｓｃｏｒｅのうちの最大値と最小値を示し、ＭＡＸ（Ｂ’）とＭＩＮ（Ｂ’）はＢ’集団に属する溶媒に対して計算されたＧｒｏｕｐ−Ｓｃｏｒｅのうちの最大値と最小値を示す。
【００７０】
また、前記式１において、ａ１は０．５〜４．５の実数、ａ２は０．５〜３の実数、ａ３は０．５〜２．５の実数で、ｂは１．０〜２．５の実数で、ｃは０．１〜１．０の実数であることがより好ましい。
【００７１】
また、前記εは０．１〜４．０の実数であることがより好ましい。
【００７２】
また、前記式２において、ｘ１は０．５〜４．５の実数、ｘ２は０．２〜２の実数、ｘ３は０．２〜２．５の実数で、ｙは０．５〜２．５の実数で、ｚは０．１〜０．８の実数であることがより好ましい。
【００７３】
また、前記式３において、αは０．５〜２．５の実数で、βは１０で、γは０〜１０５の実数であることがより好ましい。
【００７４】
また、前記式４において、Ｅ＝εであることがより好ましい。
【００７５】
また、本明細書で記載したモジュール（ｍｏｄｕｌｅ）という用語は、特定の機能や動作を処理する一つの単位を意味し、これは、ハードウェアやソフトウェア、またはハードウェアおよびソフトウェアの結合で実現することができる。
【実施例】
【００７６】
以下、本発明を実施例に基づいてより詳細に説明するが、下記に開示される本発明の実施例はあくまで例示であって、本発明の範囲はこれらの実施例に限定されない。本発明の範囲は、特許請求の範囲に示され、なおかつ特許請求の範囲の記録と均等な意味および範囲内でのすべての変更を含む。
【００７７】
比較例
特定の溶液工程において、Ａ集団であるエタノール，２−（２−プロポキシエトキシ）（Ｅｔｈａｎｏｌ，２−（２−Ｐｒｏｐｏｘｙｅｔｈｏｘｙ））とビニルアミン（Ｖｉｎｙｌ  Ａｍｉｎｅ）を用いて作った溶液を使用した場合は優れた工程性能を示し、Ｂ集団であるブチルラクテート（Ｂｕｔｙｌ  ｌａｃｔａｔｅ）を用いて作った溶液を使用した場合には優れない工程性能を示した。
【００７８】
Ａ集団の溶媒とＢ集団の溶媒のハンセン溶解度因子値が、下記の表１に示しているように非常に類似しているため、ハンセン溶解度因子値では特性差を比較しにくい点がある。したがって、Ａ集団とＢ集団の溶解度特性を正確に区分することができないため、Ａ集団と類似の特性を有する最適な溶媒を選択することができない結果を示した。
【００７９】
【表１】
2016536688.tif 000021
【００８０】
実施例
Ａ集団＝｛エタノール，２−（２−プロポキシエトキシ）、ビニルアミン｝
Ｂ集団＝｛ブチルラクテート｝
【００８１】
【表２】
2016536688.tif 000022
【００８２】
前記ＤＥＶ−ＨＳＰの計算に使用された値は、ａ１＝４．０、ａ２＝１．０、ａ３＝１．０、ｂ＝２．０、ｃ＝０．５であった。
【００８３】
ε＝１．５の場合、ビニルアミンとブチルラクテートは、従来の方法であるハンセン溶解度因子の差で区分が可能であるが、エタノール，２−（２−プロポキシエトキシ）とブチルラクテートは、従来の方法であるハンセン溶解度因子の差で明確に区分しにくい。したがって、Ａ’集団とＢ’集団は、下記のように再び指定された。
【００８４】
Ａ’集団＝｛エタノール，２−（２−プロポキシエトキシ）｝
Ｂ’集団＝｛ブチルラクテート｝
【００８５】
Ａ’集団とＢ’集団に対してＧｒｏｕｐ−Ｓｃｏｒｅを計算した結果を、下記の表３に示した。
【００８６】
【表３】
2016536688.tif 000023
【００８７】
前記表３に示したＧｒｏｕｐ−Ｓｃｏｒｅを計算するために、
（１）ＲＥＰ−ＨＳＰを計算するために使用された値は、ｘ１＝１．０、ｘ２＝１．０、ｘ３＝１．０、ｙ＝２．０、ｚ＝０．５である。
（２）Ｆｕｎｃｔ１を計算するために使用された値は、α＝１．０、β＝１０、γ＝３．０である。
（３）Ｆｕｎｃｔ２を計算するために使用された値は、ＰＣ＝オクタノール−水分配係数（Ｏｃｔａｎｏｌ−Ｗａｔｅｒ  Ｐａｒｔｉｔｉｏｎ  Ｃｏｅｆｆｉｃｉｅｎｔ）である。前記分配係数は、Ｍｏｌｅｃｕｌａｒ  Ｎｅｔｗｏｒｋｓ  ＧｍｂＨ  Ｃｏｍｐｕｔｅｒｃｈｅｍｉｅ社のＡＤＲＩＡＮＡ．Ｃｏｄｅプログラムを用いて計算した。
（４）Ｆｕｎｃｔ２はｄ−ｘ関数を利用し、ｄ＝１０、ｘ＝ＰＣである。
【００８８】
Ａ’集団とＢ’集団に属する溶媒が１つであるので、最大値と最小値は、下記のように互いに同じ結果を示した。
【００８９】
Ａ’集団：ＭＡＸ（Ａ’）＝５．１１            ＭＩＮ（Ａ’）＝５．１１
Ｂ’集団：ＭＡＸ（Ｂ’）＝０．３６            ＭＩＮ（Ｂ’）＝０．３６
【００９０】
【数１９】
2016536688.tif 000024
【００９１】
Ｇｒｏｕｐ−ＳｃｏｒｅによりＡ’集団とＢ’集団の特性を明確に区分することができたが、Ｅ＝ε＝１．５の場合、δ（Ａ’，Ｂ’）＝４．７５＞Ｅであるので、Ｇｒｏｕｐ−Ｓｃｏｒｅを用いた場合、従来のＨＳＰの場合を用いた場合より明確にＡ’集団とＢ’集団の溶媒を区分することができた。
【図１】
2016536688.tif 000033
【図２】
2016536688.tif 000034
【手続補正書】
【提出日】平成28年1月14日(2016.1.14)
【手続補正１】
【補正対象書類名】特許請求の範囲
【補正対象項目名】全文
【補正方法】変更
【補正の内容】
【特許請求の範囲】
【請求項１】
溶液工程用溶液製造のための溶媒選択方法であって、
１）Ａ集団に属するＮ１個の溶媒ＡＩと、Ｂ集団に属するＮ２個の溶媒ＢＪに対するハンセン溶解度因子の差であるＤＥＶ−ＨＳＰ（ＡＩ，ＢＪ）を、下記の式１を用いてそれぞれ計算するステップと、
２）前記１）ステップでＮ１×Ｎ２の個数だけ計算されたハンセン溶解度因子の差（ＤＥＶ−ＨＳＰ（ＡＩ，ＢＪ））が０〜εの範囲（εは０より大きい実数）に属する場合を求めるステップと、
３）前記２）ステップの範囲に属する個数が０の場合、溶媒に対する特性を評価する過程を終了し、それ以外の場合、ハンセン溶解度因子の差（ＤＥＶ−ＨＳＰ（ＡＩ，ＢＪ））が前記範囲に属する場合のＡＩとＢＪを、それぞれ再びＡ’集団とＢ’集団に指定するステップと、
４）前記３）ステップで指定されたＡ’集団とＢ’集団に属する溶媒Ｍに対して、ＲＥＰ−ＨＳＰ（Ｍ）を、下記の式２を用いてそれぞれ計算するステップと、
５）前記３）ステップで指定されたＡ’集団とＢ’集団に属する溶媒Ｍに対するＧｒｏｕｐ−Ｓｃｏｒｅ（Ｍ）を、下記の式３を用いてそれぞれ計算するステップと、
６）前記５）ステップで計算されたＧｒｏｕｐ−Ｓｃｏｒｅ（Ｍ）値からなる群より、それぞれの集団の最大値と最小値を求めるステップと、
７）下記の式４を用いてＡ’集団とＢ’集団の特性差を評価するために、δ（Ａ’，Ｂ’）＞Ｅまたはδ（Ｂ’，Ａ’）＞Ｅの場合、Ｇｒｏｕｐ−Ｓｃｏｒｅ（Ｍ）値を用いてＡ’とＢ’集団を区分するステップとを含むことを特徴とする、溶液工程用溶液製造のための溶媒選択方法。
【数１】
2016536688.tif 000035
前記式１において、ＡＩとＢＪはそれぞれＡとＢ集団に属する溶媒を示し、溶媒ＡＩに対するハンセン溶解度因子はＨＳＰ＝（Ｄ（ＡＩ），Ｐ（ＡＩ），Ｈ（ＡＩ））であり、前記Ｄ（ＡＩ）は無極性分散結合によって発生する溶解度因子、Ｐ（ＡＩ）は永久双極子による極性結合によって発生する溶解度因子、Ｈ（ＡＩ）は水素結合によって発生する溶解度因子であり、ａ１、ａ２、ａ３は０より大きい実数で、ｂは０より大きい実数で、ｃは０より大きい実数である。
【数２】
2016536688.tif 000036
前記式２において、任意の溶媒Ｍに対するハンセン溶解度因子はＨＳＰ＝（Ｄ（Ｍ），Ｐ（Ｍ），Ｈ（Ｍ））であり、前記Ｄ（Ｍ）は無極性分散結合によって発生する溶解度因子、Ｐ（Ｍ）は永久双極子による極性結合によって発生する溶解度因子、Ｈ（Ｍ）は水素結合によって発生する溶解度因子であり、ｘ１、ｘ２、ｘ３は０より大きい実数で、ｙは０より大きい実数で、ｚは０より大きい実数である。
【数３】
2016536688.tif 000037
前記式３において、Ｆｕｎｃｔ１（ｘ）＝γ×｛ｌｏｇβ（ｘ）｝αであり、αは０．５より大きい実数で、βは０より大きい実数で、γは０より大きい実数であり、Ｆｕｎｃｔ２（ｘ）＝ｄｘまたはｄ−ｘであり、ｄは０．０１より大きい実数であり、ＰＣ（Ｍ）は溶媒Ｍに対して実験方法を通じて測定したり、または計算方法を用いて求めたオクタノール−水分配係数（Ｏｃｔａｎｏｌ−Ｗａｔｅｒ  Ｐａｒｔｉｔｉｏｎ  Ｃｏｅｆｆｉｃｉｅｎｔ）、または計算方法で求めた位相極性表面積（ｔｏｐｏｌｏｇｉｃａｌ  ｐｏｌａｒ  ｓｕｒｆａｃｅ  ａｒｅａ）値である。
【数４】
2016536688.tif 000038
前記式４において、ＭＡＸ（Ａ’）とＭＩＮ（Ａ’）はＡ’集団に属する溶媒に対して計算されたＧｒｏｕｐ−Ｓｃｏｒｅのうちの最大値と最小値を示し、ＭＡＸ（Ｂ’）とＭＩＮ（Ｂ’）はＢ’集団に属する溶媒に対して計算されたＧｒｏｕｐ−Ｓｃｏｒｅのうちの最大値と最小値を示す。
【請求項２】
前記式１において、ａ１は０．５〜４．５の実数、ａ２は０．５〜３の実数、ａ３は０．５〜２．５の実数で、ｂは１．０〜２．５の実数で、ｃは０．１〜１．０の実数であることを特徴とする、請求項１に記載の溶液工程用溶液製造のための溶媒選択方法。
【請求項３】
前記εは０．１〜４．０の実数であることを特徴とする、請求項１に記載の溶液工程用溶液製造のための溶媒選択方法。
【請求項４】
前記式２において、ｘ１は０．５〜４．５の実数、ｘ２は０．２〜２の実数、ｘ３は０．２〜２．５の実数で、ｙは０．５〜２．５の実数で、ｚは０．１〜０．８の実数であることを特徴とする、請求項１に記載の溶液工程用溶液製造のための溶媒選択方法。
【請求項５】
前記式３において、αは０．５〜２．５の実数で、βは１０で、γは０〜１０５の実数であることを特徴とする、請求項１に記載の溶液工程用溶液製造のための溶媒選択方法。
【請求項６】
前記式４において、Ｅ＝εであることを特徴とする、請求項１に記載の溶液工程用溶液製造のための溶媒選択方法。
【請求項７】
Ａ集団に属するＮ１個の溶媒ＡＩと、Ｂ集団に属するＮ２個の溶媒ＢＪに対するハンセン溶解度因子の差であるＤＥＶ−ＨＳＰ（ＡＩ，ＢＪ）を、下記の式１を用いてそれぞれ計算したデータが入力される第１データ入力モジュールと、
前記第１データ入力モジュールでＮ１×Ｎ２の個数だけ計算されたハンセン溶解度因子の差（ＤＥＶ−ＨＳＰ（ＡＩ，ＢＪ））が０〜εの範囲（εは０より大きい実数）に属する場合を求めたデータが入力される第２データ入力モジュールと、
前記第２データ入力モジュールの範囲に属する個数が０の場合、溶媒に対する特性を評価する過程を終了し、それ以外の場合、ハンセン溶解度因子の差（ＤＥＶ−ＨＳＰ（ＡＩ，ＢＪ））が前記範囲に属する場合のＡＩとＢＪを、それぞれ再びＡ’集団とＢ’集団に指定したデータが入力される第３データ入力モジュールと、
前記第３データ入力モジュールで指定されたＡ’集団とＢ’集団に属する溶媒Ｍに対して、ＲＥＰ−ＨＳＰ（Ｍ）を、下記の式２を用いてそれぞれ計算したデータが入力される第４データ入力モジュールと、
前記第３データ入力モジュールで指定されたＡ’集団とＢ’集団に属する溶媒Ｍに対するＧｒｏｕｐ−Ｓｃｏｒｅ（Ｍ）を、下記の式３を用いてそれぞれ計算したデータが入力される第５データ入力モジュールと、
前記第５データ入力モジュールで計算されたＧｒｏｕｐ−Ｓｃｏｒｅ（Ｍ）値からなる群より、それぞれの集団の最大値と最小値を求めたデータが入力される第６データ入力モジュールと、
下記の式４を用いてＡ’集団とＢ’集団の特性差を評価するために、δ（Ａ’，Ｂ’）＞Ｅまたはδ（Ｂ’，Ａ’）＞Ｅの場合、Ｇｒｏｕｐ−Ｓｃｏｒｅ（Ｍ）値を用いてＡ’とＢ’集団を区分したデータが入力される評価モジュールとを含むことを特徴とする、溶液工程用溶液製造のための溶媒選択システム。
【数５】
2016536688.tif 000039
前記式１において、ＡＩとＢＪはそれぞれＡとＢ集団に属する溶媒を示し、溶媒ＡＩに対するハンセン溶解度因子はＨＳＰ＝（Ｄ（ＡＩ），Ｐ（ＡＩ），Ｈ（ＡＩ））であり、前記Ｄ（ＡＩ）は無極性分散結合によって発生する溶解度因子、Ｐ（ＡＩ）は永久双極子による極性結合によって発生する溶解度因子、Ｈ（ＡＩ）は水素結合によって発生する溶解度因子であり、ａ１、ａ２、ａ３は０より大きい実数で、ｂは０より大きい実数で、ｃは０より大きい実数である。
【数６】
2016536688.tif 000040
前記式２において、任意の溶媒Ｍに対するハンセン溶解度因子はＨＳＰ＝（Ｄ（Ｍ），Ｐ（Ｍ），Ｈ（Ｍ））であり、前記Ｄ（Ｍ）は無極性分散結合によって発生する溶解度因子、Ｐ（Ｍ）は永久双極子による極性結合によって発生する溶解度因子、Ｈ（Ｍ）は水素結合によって発生する溶解度因子であり、ｘ１、ｘ２、ｘ３は０より大きい実数で、ｙは０より大きい実数で、ｚは０より大きい実数である。
【数７】
2016536688.tif 000041
前記式３において、Ｆｕｎｃｔ１（ｘ）＝γ×｛ｌｏｇβ（ｘ）｝αであり、αは０．５より大きい実数で、βは０より大きい実数で、γは０より大きい実数で、Ｆｕｎｃｔ２（ｘ）＝ｄｘまたはｄ−ｘであり、ｄは０．０１より大きい実数であり、ＰＣ（Ｍ）は溶媒Ｍに対して実験方法を通じて測定したり、または計算方法を用いて求めたオクタノール−水分配係数（Ｏｃｔａｎｏｌ−Ｗａｔｅｒ  Ｐａｒｔｉｔｉｏｎ  Ｃｏｅｆｆｉｃｉｅｎｔ）、または計算方法で求めた位相極性表面積（ｔｏｐｏｌｏｇｉｃａｌ  ｐｏｌａｒ  ｓｕｒｆａｃｅ  ａｒｅａ）値である。
【数８】
2016536688.tif 000042
前記式４において、ＭＡＸ（Ａ’）とＭＩＮ（Ａ’）はＡ’集団に属する溶媒に対して計算されたＧｒｏｕｐ−Ｓｃｏｒｅのうちの最大値と最小値を示し、ＭＡＸ（Ｂ’）とＭＩＮ（Ｂ’）はＢ’集団に属する溶媒に対して計算されたＧｒｏｕｐ−Ｓｃｏｒｅのうちの最大値と最小値を示す。
【請求項８】
前記式１において、ａ１は０．５〜４．５の実数、ａ２は０．５〜３の実数、ａ３は０．５〜２．５の実数で、ｂは１．０〜２．５の実数で、ｃは０．１〜１．０の実数であることを特徴とする、請求項７に記載の溶液工程用溶液製造のための溶媒選択システム。
【請求項９】
前記εは０．１〜４．０の実数であることを特徴とする、請求項７に記載の溶液工程用溶液製造のための溶媒選択システム。
【請求項１０】
前記式２において、ｘ１は０．５〜４．５の実数、ｘ２は０．２〜２の実数、ｘ３は０．２〜２．５の実数で、ｙは０．５〜２．５の実数で、ｚは０．１〜０．８の実数であることを特徴とする、請求項７に記載の溶液工程用溶液製造のための溶媒選択システム。
【請求項１１】
前記式３において、αは０．５〜２．５の実数で、βは１０で、γは０〜１０５の実数であることを特徴とする、請求項７に記載の溶液工程用溶液製造のための溶媒選択システム。
【請求項１２】
前記式４において、Ｅ＝εであることを特徴とする、請求項７に記載の溶液工程用溶液製造のための溶媒選択システム。
【手続補正２】
【補正対象書類名】明細書
【補正対象項目名】００１３
【補正方法】変更
【補正の内容】
【００１３】
上記の目的を達成するために、本発明は、
溶液工程用溶液製造のための溶媒選択方法であって、
１）Ａ集団に属するＮ１個の溶媒ＡＩと、Ｂ集団に属するＮ２個の溶媒ＢＪに対するハンセン溶解度因子の差であるＤＥＶ−ＨＳＰ（ＡＩ，ＢＪ）を、下記の式１を用いてそれぞれ計算するステップと、
２）前記１）ステップでＮ１×Ｎ２の個数だけ計算されたハンセン溶解度因子の差（ＤＥＶ−ＨＳＰ（ＡＩ，ＢＪ））が０〜εの範囲（εは０より大きい実数）に属する場合を求めるステップと、
３）前記２）ステップの範囲に属する個数が０の場合、溶媒に対する特性を評価する過程を終了し、それ以外の場合、ハンセン溶解度因子の差（ＤＥＶ−ＨＳＰ（ＡＩ，ＢＪ））が前記範囲に属する場合のＡＩとＢＪを、それぞれ再びＡ’集団とＢ’集団に指定するステップと、
４）前記３）ステップで指定されたＡ’集団とＢ’集団に属する溶媒Ｍに対して、ＲＥＰ−ＨＳＰ（Ｍ）を、下記の式２を用いてそれぞれ計算するステップと、
５）前記３）ステップで指定されたＡ’集団とＢ’集団に属する溶媒Ｍに対するＧｒｏｕｐ−Ｓｃｏｒｅ（Ｍ）を、下記の式３を用いてそれぞれ計算するステップと、
６）前記５）ステップで計算されたＧｒｏｕｐ−Ｓｃｏｒｅ（Ｍ）値からなる群より、それぞれの集団の最大値と最小値を求めるステップと、
７）下記の式４を用いてＡ’集団とＢ’集団の特性差を評価するために、δ（Ａ’，Ｂ’）＞Ｅまたはδ（Ｂ’，Ａ’）＞Ｅの場合、Ｇｒｏｕｐ−Ｓｃｏｒｅ（Ｍ）値を用いてＡ’とＢ’集団を区分するステップとを含むことを特徴とする、溶液工程用溶液製造のための溶媒選択方法を提供する。
【手続補正３】
【補正対象書類名】明細書
【補正対象項目名】００２２
【補正方法】変更
【補正の内容】
【００２２】
また、本発明は、
Ａ集団に属するＮ１個の溶媒ＡＩと、Ｂ集団に属するＮ２個の溶媒ＢＪに対するハンセン溶解度因子の差であるＤＥＶ−ＨＳＰ（ＡＩ，ＢＪ）を、下記の式１を用いてそれぞれ計算したデータが入力される第１データ入力モジュールと、
前記第１データ入力モジュールでＮ１×Ｎ２の個数だけ計算されたハンセン溶解度因子の差（ＤＥＶ−ＨＳＰ（ＡＩ，ＢＪ））が０〜εの範囲（εは０より大きい実数）に属する場合を求めたデータが入力される第２データ入力モジュールと、
前記第２データ入力モジュールの範囲に属する個数が０の場合、溶媒に対する特性を評価する過程を終了し、それ以外の場合、ハンセン溶解度因子の差（ＤＥＶ−ＨＳＰ（ＡＩ，ＢＪ））が前記範囲に属する場合のＡＩとＢＪを、それぞれ再びＡ’集団とＢ’集団に指定したデータが入力される第３データ入力モジュールと、
前記第３データ入力モジュールで指定されたＡ’集団とＢ’集団に属する溶媒Ｍに対して、ＲＥＰ−ＨＳＰ（Ｍ）を、下記の式２を用いてそれぞれ計算したデータが入力される第４データ入力モジュールと、
前記第３データ入力モジュールで指定されたＡ’集団とＢ’集団に属する溶媒Ｍに対するＧｒｏｕｐ−Ｓｃｏｒｅ（Ｍ）を、下記の式３を用いてそれぞれ計算したデータが入力される第５データ入力モジュールと、
前記第５データ入力モジュールで計算されたＧｒｏｕｐ−Ｓｃｏｒｅ（Ｍ）値からなる群より、それぞれの集団の最大値と最小値を求めたデータが入力される第６データ入力モジュールと、
下記の式４を用いてＡ’集団とＢ’集団の特性差を評価するために、δ（Ａ’，Ｂ’）＞Ｅまたはδ（Ｂ’，Ａ’）＞Ｅの場合、Ｇｒｏｕｐ−Ｓｃｏｒｅ（Ｍ）値を用いてＡ’とＢ’集団を区分したデータが入力される評価モジュールとを含むことを特徴とする、溶液工程用溶液製造のための溶媒選択システムを提供する。
【手続補正４】
【補正対象書類名】明細書
【補正対象項目名】００６１
【補正方法】変更
【補正の内容】
【００６１】
前記溶液工程用溶液製造のための溶媒選択システムは、
Ａ集団に属するＮ１個の溶媒ＡＩと、Ｂ集団に属するＮ２個の溶媒ＢＪに対するハンセン溶解度因子の差であるＤＥＶ−ＨＳＰ（ＡＩ，ＢＪ）を、下記の式１を用いてそれぞれ計算したデータが入力される第１データ入力モジュールと、
前記第１データ入力モジュールでＮ１×Ｎ２の個数だけ計算されたハンセン溶解度因子の差（ＤＥＶ−ＨＳＰ（ＡＩ，ＢＪ））が０〜εの範囲（εは０より大きい実数）に属する場合を求めたデータが入力される第２データ入力モジュールと、
前記第２データ入力モジュールの範囲に属する個数が０の場合、溶媒に対する特性を評価する過程を終了し、それ以外の場合、ハンセン溶解度因子の差（ＤＥＶ−ＨＳＰ（ＡＩ，ＢＪ））が前記範囲に属する場合のＡＩとＢＪを、それぞれ再びＡ’集団とＢ’集団に指定したデータが入力される第３データ入力モジュールと、
前記第３データ入力モジュールで指定されたＡ’集団とＢ’集団に属する溶媒Ｍに対して、ＲＥＰ−ＨＳＰ（Ｍ）を、下記の式２を用いてそれぞれ計算したデータが入力される第４データ入力モジュールと、
前記第３データ入力モジュールで指定されたＡ’集団とＢ’集団に属する溶媒Ｍに対するＧｒｏｕｐ−Ｓｃｏｒｅ（Ｍ）を、下記の式３を用いてそれぞれ計算したデータが入力される第５データ入力モジュールと、
前記第５データ入力モジュールで計算されたＧｒｏｕｐ−Ｓｃｏｒｅ（Ｍ）値からなる群より、それぞれの集団の最大値と最小値を求めたデータが入力される第６データ入力モジュールと、
下記の式４を用いてＡ’集団とＢ’集団の特性差を評価するために、δ（Ａ’，Ｂ’）＞Ｅまたはδ（Ｂ’，Ａ’）＞Ｅの場合、Ｇｒｏｕｐ−Ｓｃｏｒｅ（Ｍ）値を用いてＡ’とＢ’集団を区分したデータが入力される評価モジュールとを含むことを特徴とする。
【国際調査報告】
2016536688.tif 000043
2016536688.tif 000044
2016536688.tif 000045
2016536688.tif 000046